(57)【要約】【課題】簡単な操作で、印刷テープの消費量を低減すること。【解決手段】印刷データ生成装置は、独立して個々に設定可能であり、設定値によってテープ長が変化する複数の機能メニューと、複数の機能メニューのうち、予め定められた少なくとも２以上の機能メニューである対象機能メニューの設定を、予め規定されているデフォルト設定からテープ長を一括して設定変更する一括設定変更手段７１と、一括設定変更手段７１による変更後の設定に基づいて、印刷データを生成する印刷データ生成手段６２と、を備える。【選択図】図４
2008173815.tif 000002
【特許請求の範囲】
【請求項１】
独立して個々に設定が可能であり、設定値によってテープ長が変化する複数の機能メニューと、
前記複数の機能メニューのうち、予め定められた少なくとも２以上の機能メニューである対象機能メニューの設定を、予め規定されているデフォルト設定から前記テープ長を一括して設定変更する一括設定変更手段と、
前記一括設定変更手段による変更後の設定に基づいて、印刷データを生成する印刷データ生成手段と、を備えたことを特徴とする印刷データ生成装置。
【請求項２】
前記一括設定変更手段により前記対象機能メニューの設定を、デフォルト設定から前記テープ長を短くできる設定とする規定節約モードと、前記対象機能メニューの設定を前記デフォルト設定とする通常モードとのいずれかのモードに設定するモード設定手段を、さらに備えたことを特徴とする請求項１に記載の印刷データ生成装置。
【請求項３】
前記規定節約モードにおいて、前記一括設定変更手段により設定変更された前記対象機能メニューの設定を変更し直す設定変更手段を、さらに備えたことを特徴とする請求項２に記載の印刷データ生成装置。
【請求項４】
前記複数の機能メニューの中から、前記対象機能メニューを選択する対象機能メニュー選択手段をさらに備え、
前記モード設定手段は、前記対象機能メニュー選択手段により選択された前記対象機能メニューに対して前記一括設定変更手段による設定を行う選択節約モードと、前記規定節約モードと、前記通常モードとの中からいずれかのモードに設定することを特徴とする請求項２または３に記載の印刷データ生成装置。
【請求項５】
文字サイズを設定する機能メニューは、前記複数の機能メニューの対象外であることを特徴とする請求項１ないし４のいずれかに記載の印刷データ生成装置。
【請求項６】
請求項１ないし５のいずれかに記載の前記印刷データ生成装置における各手段と、
前記印刷データ生成手段により生成された前記印刷データに基づいて、前記印刷テープに印刷を行う印刷手段と、を備えたことを特徴とするテープ印刷装置。
【請求項７】
コンピュータを、請求項１ないし５のいずれかに記載の印刷データ生成装置における各手段として機能させるためのプログラム。
【発明の詳細な説明】
【技術分野】
【０００１】
本発明は、印刷データを生成する印刷データ生成装置、テープ印刷装置およびプログラムに関するものである。
【背景技術】
【０００２】
従来、この種の印刷装置として、印刷テープに文字データを印刷するラベル印刷装置が知られている。このラベル印刷装置は、印刷テープの長手方向における文字サイズ、文字間隔の設定を任意に設定する機能を有している（特許文献１参照）。
【特許文献１】特開平０７−２６６６３２号公報
【発明の開示】
【発明が解決しようとする課題】
【０００３】
ところで、従来の印刷装置において、印刷テープのテープ残量が少なくなった場合等、テープの消費を最小限に抑えようとすることがある。かかる場合、ユーザは、上記の任意の設定機能を用いて文字サイズの縮小設定や文字間隔の設定等をそれぞれ行う必要があり、ユーザに煩わしい操作を強いることになる。
【０００４】
本発明は、簡単な操作で、印刷テープの消費量を低減することができる印刷データ生成装置、テープ印刷装置およびプログラムを提供することを目的とする。
【課題を解決するための手段】
【０００５】
本発明の印刷データ生成装置は、独立して個々に設定が可能であり、設定値によってテープ長が変化する複数の機能メニューと、複数の機能メニューのうち、予め定められた少なくとも２以上の機能メニューである対象機能メニューの設定を、予め規定されているデフォルト設定からテープ長を一括して設定変更する一括設定変更手段と、一括設定変更手段による変更後の設定に基づいて、印刷データを生成する印刷データ生成手段と、を備えたことを特徴とする。
【０００６】
この構成によれば、テープ長が変化する複数の機能メニューのうち、予め定められた２以上の機能メニューの設定を、デフォルト設定からテープ長を短くできる設定に一括して変更した場合には、機能メニュー毎の設定を要することなく、デフォルト設定の場合よりもテープ長が短くなる印刷データを生成することができる。したがって、簡単な操作で、印刷テープの消費量を低減することができる。例えば、予め複数の機能メニューの全てが対象機能メニューとなっていれば、１度の設定変更動作により全ての機能メニューの設定が可能となる。
【０００７】
この場合、一括設定変更手段により対象機能メニューの設定を、デフォルト設定からテープ長を短くできる設定とする規定節約モードと、対象機能メニューの設定をデフォルト設定とする通常モードとのいずれかのモードに設定するモード設定手段を、さらに備えたことが好ましい。
【０００８】
この構成によれば、規定節約モードまたは通常モードの選択により、節約モードの設定および解除を簡単に行うことができる。これにより、ユーザの使用目的や使用形態に合わせて、テープの節約設定を使い分けることが可能となる。
【０００９】
この場合、規定節約モードにおいて、一括設定変更手段により設定変更された対象機能メニューの設定を変更し直す設定変更手段を、さらに備えたことが好ましい。
【００１０】
この構成によれば、規定節約モードにおいて、設定変更された対象機能メニューの設定を、ユーザの使用目的や使用形態に合わせて変更し直すことができる。これにより、規定節約モードにあっても、任意の機能メニューをユーザの好みに合わせて変更することができる。
【００１１】
これらの場合、複数の機能メニューの中から、対象機能メニューを選択する対象機能メニュー選択手段をさらに備え、モード設定手段は、対象機能メニュー選択手段により選択された対象機能メニューに対して一括設定変更手段による設定を行う選択節約モードと、規定節約モードと、通常モードとの中からいずれかのモードに設定することが好ましい。
【００１２】
この構成によれば、ユーザは、使用目的および使用形態等に合わせて対象機能メニューを自由に選択することができる。ここで、規定節約モードと選択節約モードの違いは、対象機能メニューが予め定められた節約モードか、対象機能メニューが選択された節約モードか、である。例えば、複数の機能メニューの中から、ユーザにとって優先度の高い機能メニューを対象機能メニューとして選択すれば、自分専用の節約モード（選択節約モード）を設定することができる。また、複数の機能メニューの全てを対象機能メニューとして選択すれば、機能メニュー毎に設定した場合に起こり得る設定漏れを防止することもできる。
【００１３】
これらの場合、文字サイズを設定する機能メニューは、複数の機能メニューの対象外であることが好ましい。
【００１４】
この構成によれば、規定節約モードまたは選択節約モードの設定により文字サイズが変更されることがないため、文字の視認性や全体の見栄えを損なうことなく、印刷テープの消費量を低減することができる。なお、文字サイズの変更とは、テープの長さ方向および幅方向の両方向におけるサイズの変更を指す。
【００１５】
本発明のテープ印刷装置は、請求項１ないし５のいずれかに記載の印刷データ生成装置における各手段と、印刷データ生成手段により生成された印刷データに基づいて、印刷テープに印刷を行う印刷手段と、を備えたことを特徴とする。
【００１６】
この構成によれば、デフォルト設定の場合よりもテープ長が短くなる印刷データにより生成された印刷テープを得ることができる。
【００１７】
本発明のプログラムは、コンピュータを、請求項１ないし５のいずれかに記載の印刷データ生成装置における各手段として機能させることを特徴とする。
【００１８】
このプログラムを用いることにより、簡単な操作で、デフォルト設定の場合よりもテープ長が短くなる印刷データを生成する印刷データ生成装置を実現することができる。
【発明を実施するための最良の形態】
【００１９】
以下、添付の図面を参照して、本発明の一実施形態に係る印刷データ生成装置、テープ印刷装置およびプログラムについて説明する。このテープ印刷装置は、印刷テープのテープ長が変化する複数の機能メニューの設定を、デフォルト設定から一括して設定変更し、変更後の設定に基づいて印刷データを生成し、印刷テープに印刷するものである。
【００２０】
図１および図２に示すように、テープ印刷装置１は、処理テープ（印刷テープ）Ｔに対して印刷処理を行う装置本体１１と、処理テープＴおよびインクリボンＲを収容し、装置本体１１に着脱自在に装着されるテープカートリッジＣとを備えている。
【００２１】
装置本体１１は、装置ケース１２により外殻が形成され、装置ケース１２の前半部上面には、文字等を入力するための各種入力キー１３と、テープ長が変化する複数の機能メニューの設定を行うための機能メニュー設定キー１４と、機能メニュー設定キー１４による設定等を確定する確定キー１５と、を備えたキーボード１７が配設されている。この機能メニューは、例えば、処理テープＴの余白長、処理テープＴの長手方向における文字の縮尺、処理テープＴの長手方向における文字間の長さ等を設定するものからなり、各種機能メニューは、独立して個々に設定可能であると共に、設定値によってテープ長が変化するものである。なお、本実施形態のテープ印刷装置１は、機能メニュー設定キー１４の押下により、テープ長が変化しない他の機能メニュー（書式設定、段落設定および装飾（囲み枠など））の設定を行うことも可能であるが、ここでは詳細な説明を省略する。
【００２２】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２３】
蓋体開放ボタン２３を押して開閉蓋２１を開放すると、その内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている（図２参照）。
【００２４】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。カッタユニット３３は、モータ（フルカッタモータ３５）駆動により、処理テープＴをハサミ形式で切断するフルカッタ３４と、フルカッタ３４に対してテープ送り方向下流側に配設され、切断されたテープ片を強制的に排出する排出機構（図示省略）と、を備えている（図３参照）。また、図１および図２では省略したが、装置ケース１２の内部には、装置本体１１を統括制御する制御部６３（図３参照）を構成する回路基板が搭載されている。
【００２５】
カートリッジ装着部３１には、発熱素子を有しヘッドカバー４０に覆われた印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケースＣの裏面に形成された複数の被検出孔に対応してテープ識別センサ（図示省略）が設けられている。また、カートリッジ装着部３１には、プラテン駆動軸４３および巻取り駆動軸４４を駆動する印刷送りモータ４６（図３参照）や減速ギヤ列等（図示省略）が内蔵されている。
【００２６】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、処理テープＴとインクリボンＲとが重なる部分に対応し、上記プラテン駆動軸４３に嵌合して回転駆動するプラテンローラ５５が配置されている。
【００２７】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。そして、印刷データ生成手段７４（図４参照）で生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の処理テープＴは、印刷済み部分がフルカッタ３４により切断され、切断された処理テープＴがラベルとしてテープ排出口３２から外部に排出される。
【００２８】
処理テープＴは、テープ種別（テープ幅、テープ色、インクリボン色、テープ材質など）が異なる複数種のものが用意されており、裏面に粘着剤層が塗着された記録テープＴ１と、この粘着剤層により記録テープＴ１に貼付された剥離テープＴ２とから構成されている。そして、処理テープＴは、記録テープＴ１を外側にし、かつ剥離テープＴ２を内側にしてロール状に巻回されてカートリッジケース５０に収容されている。カートリッジケース５０の裏面には、小さな複数の被検出孔（図示省略）が形成され、上記のテープ識別センサによってこの複数の被検出孔が検出されることにより、処理テープＴの種別を識別できるようになっている。
【００２９】
次に、図３を参照し、テープ印刷装置１の制御系について説明する。テープ印刷装置１は、キーボード１７上の各種キーからのデータ入力や、印刷データ等のディスプレイ２４への表示など、ユーザインタフェースとして機能する操作部６１と、印刷部（印刷手段）６２と、テープ印刷装置１の各部に接続され、テープ印刷装置１全体を制御する制御部６３と、を有している。
【００３０】
印刷部６２は、後述する印刷データ生成手段７４（図４参照）が生成した印刷データに基づいて印刷ヘッド４１により処理テープＴに印刷処理を行い、フルカッタモータ３５によりフルカッタ３４を駆動し印刷済みの処理テープＴを切断して、ラベルを作成する。
【００３１】
制御部６３は、ＣＰＵ（Central Processing Unit）６４と、ＣＰＵ６４で各種制御処理を行うための制御プログラムを有するＲＯＭ（Read Only Memory）６５と、各種制御処理の作業領域となるＲＡＭ（Random Access Memory）６６と、テープ印刷装置１の各部と入力データや制御信号の入出力を行う入出力制御装置（ＩＯＣ：Input Output Controller）６７と、を備え、これらは互いに内部バスにより接続されている。ここで、ＲＯＭ６５内には、設定値によってテープ長に影響を及ぼす複数の機能メニューの設定処理を行うための制御プログラムが記憶されている。そして、ＣＰＵ６４は、ＲＯＭ６５内の制御プログラムに従って、ＩＯＣ６７を介してテープ印刷装置１の各部から各種信号・データを入力する。また、ＣＰＵ６４は、入力した各種信号・データに基づいて、ＲＡＭ６６内の各種データを処理し、ＩＯＣ６７を介してテープ印刷装置１の各部に各種信号・データを出力し、印刷処理の制御を行う。
【００３２】
ここで、図４の機能ブロック図を参照して、テープ印刷装置１の制御系をさらに説明する。テープ印刷装置１は、図４に示すように、一括設定変更手段７１と、モード設定手段７２と、設定変更手段７３と、印刷データ生成手段７４と、印刷手段６２と、を備えている。
【００３３】
モード設定手段７２は、ユーザの操作により、後述する一括設定変更手段７１により予め定められた対象機能メニューの設定を、予め規定されているデフォルト設定からテープ長を短くできる設定とする規定節約モードと、一括設定変更手段７１により設定変更を行うことなく対象機能メニューの設定をデフォルト設定とする通常モードとのいずれかのモードを設定するものである。
【００３４】
一括設定変更手段７１は、複数の機能メニューのうち、予め定められた少なくとも２以上の機能メニューである対象機能メニューの設定を、予め規定されているデフォルト設定からテープ長を短くできる設定に一括して設定変更するものである。本実施形態の場合、複数の対象機能メニューは、印刷テープの余白長（以下、「余白長」と称す）、印刷テープの長手方向における文字の縮尺（以下、「文字の縮尺」と称す）、印刷テープの長手方向における文字間の長さ（以下、「文字間」と称す）、文字サイズの４つであり、対象機能メニューは、これらから「文字サイズ」を除いた３つの機能メニュー（「余白長」、「文字の縮尺」、「文字間」）である。
【００３５】
図５は、「大」、「ふつう」および「小」の設定値の候補を備えた「文字サイズ」の設定値を、「ふつう」（図５（ａ）参照）から「小」（図５（ｂ）参照）に設定変更した場合の、文字サイズの状態を示したものである。図５に示すように、「文字サイズ」の変更は、テープの長さ方向（Ｌ方向）および幅方向（Ｗ方向）の両方向におけるサイズ変更（縮小）を指し、設定変更した際に見栄えを損ねるため、対象機能メニューに含まれない（一括設定変更の対象とならない）。これに対し、図６は、「縮める」、「ふつう」および「伸ばす」の設定値の候補を備えた「文字の縮尺」の設定値を、「ふつう」（図６（ａ）参照）から「縮める」（図６（ｂ）参照）に設定変更した場合の、文字の縮尺の状態を示したものである。同図に示すように、「文字の縮尺」の変更は、テープの長さ方向（図６に示すＬ方向）のみのサイズ変更を指す。つまり、変更後の文字の幅は変更しているものの、文字の高さは変更されず、設定変更した際に見栄えを損ねることがないため、「文字の縮尺」は対象機能メニューに含まれる。なお、規定節約モードでは、上記の対象機能メニューにおける各機能メニューの設定値が、テープ長を最も短くできる設定値となるように予め設定されている。
【００３６】
設定変更手段７３は、ユーザの操作により、規定節約モードにおいて、一括設定変更手段７１により設定変更された対象機能のメニューの設定（設定値）を変更し直すものである。
【００３７】
印刷データ生成手段７４は、変更後の設定に基づいて、印刷データを生成するものである。印刷手段６２は、印刷データ生成手段７４により生成された印刷データに基づいて、印刷テープに印刷を行うものである。
【００３８】
なお、一括設定変更手段７１と、モード設定手段７２と、設定変更手段７３および印刷データ生成手段７４は、ＣＰＵ６４がＲＯＭ６５内の制御プログラムに従って各種データを演算し、さらに操作部６１およびＩＯＣ６７と協働して各種処理を実行することにより実現されるものである。
【００３９】
次に、図７を参照して、テープ印刷装置１の印刷データ生成動作について説明する。ここでは、対象機能メニューとして、「余白長」、「文字の縮尺」および「文字間」が予め設定されているものとして説明する。
【００４０】
まず、ユーザは、機能メニュー設定キー１４を押下して、対象機能メニューの設定を、一括設定変更によりデフォルト設定からテープ長を短くできる設定とする規定節約モードと、対象機能メニューをデフォルトに設定する通常モードと、のいずれかのモードの設定を開始する（Ｓ１）。ここで、ディスプレイ２４は、図８に示すようなモード設定画面８０を表示し、ユーザは、「規定節約モード」８０ａと、「通常モード」８０ｂとのいずれかの選択肢を選択して、キーボード１７上の確定キー１５を押下することにより、モードを設定する。
【００４１】
次に、モード設定手段７２が、確定キー１５の押下により、規定節約モード８０ａを設定した場合（Ｓ２：Ｙｅｓ）、対象機能メニューにおける規定節約モードの設定値が、一つでも規定節約モードの推奨値と異なるか否か、つまり、対象機能メニューである「文字間」、「余白長」および「文字の縮尺」の設定値が、テープ長が最も短くなる設定値から変更されているか否かを確認する（Ｓ３）。
【００４２】
次に、規定節約モードの設定値が異なる場合（Ｓ３：Ｙｅｓ）、ユーザは、一括設定変更手段７１により設定を行う規定節約モードを有効にするか否かを設定する（Ｓ４）。ここで、ディスプレイ２４は、図９に示すような画面８１を表示し、確定キー１５の押下に基づいて、「有効」８１ａまたは「節約設定」８１ｂのいずれかの選択肢を選択する。すなわち、ユーザは、モード設定画面８０上で「規定節約モード」８０ａまたは「通常モード」８０ｂのモードの選択設定を行い、「規定節約モード」８０ａを選択した場合には、節約モード設定画面８１上で、規定節約モードの「有効」（自動一括設定）８１ａまたは「節約設定」（対象機能メニューの設定変更）８１ｂのいずれかを選択する。
【００４３】
そして、画面８１において、規定節約モードを「有効」８１ａにした場合（Ｓ４２：Ｙｅｓ）、一括設定変更手段７１は、対象機能メニューの設定を、デフォルト設定からテープ長を短くできる設定に一括して設定変更する（Ｓ５）。図１０は、対象機能メニューを一括設定変更した場合、各機能メニューの設定変更の状態を説明するための画面を示すものである。ここで、例えば、通常モードから規定節約モードに切替えられると、図１０（ａ）の画面８２に示すように、「文字間」の設定候補が、「密着」８２ａと、「狭い」８２ｂと、「ふつう」８２ｃとある場合、「文字間」の設定を、デフォルト設定（例えば、「ふつう」８２ｃ）からテープ長を最も短くできる「密着」８２ａに設定変更する。また、図１０（ｂ）の画面８３に示すように、「余白長」の設定候補が、「極小」８３ａと、「少なめ」８３ｂと、「ふつう」８３ｃと、「多め」８３ｄとある場合、「余白長」の設定を、デフォルト設定（例えば、「ふつう」８３ｃ）からテープ長を最も短くできる「極小」８３ａに設定変更する。また、図１０（ｃ）の画面８４に示すように、「文字の縮尺」の設定候補が、「縮める」８４ａと、「ふつう」８４ｂと、「伸ばす」８４ｃとある場合、「文字の縮尺」の設定を、デフォルト設定（例えば、「ふつう」８４ｂ）からテープ長を最も短くできる「縮める」８４ａに設定変更する。
【００４４】
そして、印刷データ生成手段７４は、変更後の設定に基づいて印刷データを生成する（Ｓ６）。
【００４５】
一方、規定節約モードを有効にしない場合（Ｓ４：Ｎｏ）、つまり、図９に示す画面８１において、「節約設定」８１ｂを選択した場合、設定変更手段７３は、確定キー１５の押下により、対象機能メニューである各種機能メニューごとに設定値を変更する（Ｓ７〜Ｓ９）。つまり、ユーザの操作により、規定節約モードを有効にした場合の対象機能メニューの設定（図１０参照）から、図１１に示すように、例えば、「文字間」を「密着」８２ａから「狭い」８２ｂに、「余白長」を「極小」８３ａから「少なめ」８３ｂに、「文字の縮尺」を「縮める」８４ａに設定変更することにより、ユーザ専用の節約モードの設定に変更することができる。ここで、設定変更された対象機能メニューの設定は、ＲＯＭ６５に記憶され、この設定が一括設定変更における対象機能メニューの設定となる。そして、印刷データ生成手段７４は、変更後の設定に基づいて、印刷データを生成する（Ｓ６）。
【００４６】
また、Ｓ３において、規定節約モードの設定値が同じ場合（Ｓ３：Ｎｏ）、ユーザは、規定節約モードをリセットするか否かを選択する（Ｓ１０）。ここで、ディスプレイ２４は、図１２に示すような画面８５を表示し、操作部６１の操作に基づいて、「リセット」８５ａまたは「節約設定」８５ｂのいずれかの選択肢を選択する。
【００４７】
そして、画面８５において、規定節約モードの「リセット」８５ａを選択した場合、（Ｓ１０：Ｙｅｓ）、規定節約モードが解除され、対象機能メニューである各種機能メニューの設定が、デフォルト設定となる（Ｓ１１）。そして、このデフォルト設定に基づいて、印刷データ生成手段７４は、印刷データを生成する（Ｓ６）。
【００４８】
一方、画面８５において、「節約設定」８５ｂを選択し、つまり、規定節約モードをリセットしない場合（Ｓ１０：Ｎｏ）、Ｓ７以降の節約設定処理を行う。
【００４９】
また、Ｓ２において、モード設定手段７２が、確定キー１５の押下により、「通常モード」８０ｂを設定した場合（Ｓ２：Ｎｏ）、対象機能メニューである各種機能メニューの設定は、デフォルト設定となる（Ｓ１１）。
【００５０】
このように、本実施形態のテープ印刷装置１によれば、テープ長が変化する２以上の機能メニューの設定を、デフォルト設定からテープ長を短くできる設定に一括して変更するため、機能メニュー毎の設定を要することなく、デフォルト設定の場合よりもテープ長が短くなる印刷データを生成することができる。これにより、簡単な操作で、印刷テープの消費量を低減することができる。
【００５１】
なお、上記実施形態では、規定節約モードを有効にしない場合（Ｓ４：Ｎｏ）および規定節約モードをリセットしない場合（Ｓ１０：Ｎｏ）、対象機能メニューの機能メニューごとに設定変更を行う構成にしたが、節約モードの設定時（Ｓ４）に、例えば、図１３に示すように、「有効（自動一括設定）」８１ａ、「節約設定（設定値の変更）」８１ｂ、「対象機能メニューの選択」８１ｃのいずれかの選択肢を選択するようにしてもよい。つまり、ユーザは、通常モードと、対象機能メニューが予め決められた規定節約モードと、のいずれかではなく、通常モードと、規定節約モードと、対象機能メニューを自分の好みに応じて選択できる選択節約モードと、の３つのモードの中からモードを設定することができるようにしてもよい（モード設定手段）。そして、ユーザが確定キー１５を押下して「対象機能メニューの選択」８１ｃを選択した場合、例えば、図１４に示すような対象機能メニューの選択画面９０を表示し、複数の機能メニューの中から、対象機能メニューを選択する（対象機能メニュー選択手段）。ここでは、複数の機能メニュー「文字間」９０ａ、「余白長」９０ｂ、「文字の縮尺」９０ｃおよび「文字サイズ」９０ｄの中から、ユーザは、「文字間」９０ａおよび「余白長」９０ｂを選択している。そして、ユーザにより確定キー１５が押下されると、機能メニュー「文字間」９０ａおよび「余白長」９０ｂが対象機能メニューとして設定される。ここで、選択された対象機能メニューの設定は、ＲＯＭ６５に記憶され、この設定が一括設定変更における対象機能メニューとなる。この構成によれば、対象機能メニューとなる機能メニューの選択により、対象機能メニューを変更し、ユーザの使用目的や使用形態に応じた節約モード（選択節約モード）を自由に設定することができる。なお、この後に、節約モードの設定において、「節約設定」を選択し、機能メニューごとに節約設定（設定値の変更）を行ってもよい。
【００５２】
なお、上記の実施形態に示した、テープ印刷装置１の各構成要素（一括設定変更手段、印刷データ生成手段、モード設定手段、設定変更手段、対象機能メニュー選択手段）をプログラムとして提供することも可能である。また、そのプログラムを各種記録媒体（ＣＤ−ＲＯＭ、フラッシュメモリ等）に格納して提供することも可能である。すなわち、テープ印刷装置１の各構成要素をプログラム化したもの、およびそれを記録した記録媒体も、本発明の権利範囲に含まれるものである。
【図面の簡単な説明】
【００５３】
【図１】本発明の実施形態に係るテープ印刷装置の閉蓋状態における外観斜視図である。
【図２】本実施形態に係るテープ印刷装置の開蓋状態における外観斜視図である。
【図３】本実施形態に係るテープ印刷装置の制御ブロック図である。
【図４】本実施形態に係るテープ印刷装置の機能ブロック図である。
【図５】（ａ）は文字サイズの設定変更（縮小）前の状態を示す図であり、（ｂ）は設定変更（縮小）後の状態を示す図である。
【図６】（ａ）は文字の縮尺の一括設定変更前の状態を示す図であり、（ｂ）は文字の縮尺の一括設定変更後の状態を示す図である。
【図７】本実施形態に係るテープ印刷装置の印刷データ生成動作を説明するためのフローチャートである。
【図８】モード設定画面の表示例を示す図である。
【図９】節約モードを有効にした場合の画面の表示例を示す図である。
【図１０】対象機能メニューを一括設定変更した場合の各機能メニューの設定変更を説明するための図である。
【図１１】節約設定における機能メニューごとの設定変更を説明するための図である。
【図１２】節約モードをリセットした場合の画面の表示例を示す図である。
【図１３】対象機能メニューの選択を選択した場合の画面の表示例を示す図である。
【図１４】対象機能メニューの選択画面の表示例を示す図である。
【符号の説明】
【００５４】
１…テープ印刷装置  ７１…一括設定変更手段  ７２…モード設定手段  ７３…設定変更手段  ７４…印刷データ生成手段  ６２…印刷手段
【図１】
2008173815.tif 000003
【図２】
2008173815.tif 000004
【図３】
2008173815.tif 000005
【図４】
2008173815.tif 000006
【図５】
2008173815.tif 000007
【図６】
2008173815.tif 000008
【図７】
2008173815.tif 000009
【図８】
2008173815.tif 000010
【図９】
2008173815.tif 000011
【図１０】
2008173815.tif 000012
【図１１】
2008173815.tif 000013
【図１２】
2008173815.tif 000014
【図１３】
2008173815.tif 000015
【図１４】
2008173815.tif 000016